(57)【要約】      （修正有）【課題】給電用ケーブルによる壁面の殴打をなくして、騒音や建物側の破損と給電ケーブルの破断をなくすことができるとともに、ゴンドラの昇降と水平移動を円滑に行うことができる作業用ゴンドラの昇降・水平移動装置を提供する。【解決手段】作業用ゴンドラの昇降・水平移動装置は、建物の外壁工事に用いる作業用ゴンドラ１が建物の上部に水平移動可能に設けたトロリ６から垂下された吊下げ用ワイヤ３により昇降可能に吊り下げられている装置である。作業用ゴンドラ１に昇降用の第１の駆動部材２、及び第１の駆動部材２に給電するためのバッテリ２１が設置され、トロリ６に水平移動用の第２の駆動部材７が設置され、この第２の駆動部材７へバッテリ２１から給電する給電用ケーブル２５が設けられている。【選択図】図１
0003228416.tif 000002
【実用新案登録請求の範囲】
【請求項１】
建物の外壁工事に用いる作業用ゴンドラが建物の上部に水平移動可能に設けたトロリから垂下された吊下げ用ワイヤにより昇降可能に吊り下げられている装置であって、
前記作業用ゴンドラに昇降用の第１の駆動部材、及び該駆動部材に給電するためのバッテリが設置され、前記トロリに水平移動用の第２の駆動部材が設置され、この第２駆動部材へ前記バッテリから給電する給電用ケーブルが設けられていることを特徴とする作業用ゴンドラの昇降・水平移動装置。
【請求項２】
前記トロリは、第２の駆動部材が設置された電動トロリと、従動トロリと、ライフライントロリとからなっており、各トロリが着脱可能に取り付けられている請求項１に記載の作業用ゴンドラの昇降・水平移動装置。
【考案の詳細な説明】
【技術分野】
【０００１】
この考案は、作業用ゴンドラの昇降・水平移動装置に関し、さらに詳しくは建物の外壁工事等に際して、作業者が乗り込む作業用ゴンドラが建物の上部に水平移動可能に設けたトロリから垂下された吊下げ用ワイヤにより昇降可能に設けられた装置において、水平移動の駆動（電源）をゴンドラ側から取るようにした技術に係るものである。
【背景技術】
【０００２】
前記のような作業用ゴンドラの昇降・水平移動装置として、従来知られているのは図２に示すものである。すなわち、作業用ゴンドラ１の昇降は、ゴンドラに設けた左右一対の駆動モータ２により吊りワイヤ３を巻き上げ又は巻き戻しをして行っていた。また、ゴンドラ１の水平移動は、建物の屋上に架設した走行レール５に設置された電動トロリ６の駆動モータ７により行っていた。８はトロリ６の水平移動の際に建物の屋上等にある図示しない配電盤から駆動モータ７へ電気を供給する給電用ケーブル（１次電源ケーブル）であり、このケーブル８はトロリ６の移動とともにその長さを調節可能なようにレール５に水平移動可能に介装されたハンガ９に所定間隔を置いて取り付けられている。
【０００３】
前記の装置においては、ゴンドラ１を昇降させるときには駆動モータ２を駆動する。また、ゴンドラ１を水平移動させるときは駆動モータ７を駆動する。このように各モータ別の駆動により昇降と水平移動を行う。なお、６ａは従動トロリ、６ｂはライフライントロリ、４はライフラインを示す。また、１０は１次電源ケーブルからの電気をゴンドラ側の駆動モータ２へ供給するためのケーブルで、その先端はホバー中継盤１１に接続されている。１２はゴンドラ操作盤で、ホバー中継盤１１とケーブル１３で、左右の駆動モータ２とはケーブル１４，１５を介して接続されている。１６はホバー中継盤１１とケーブル１７で接続された操作用のペンダントスイッチである。
【０００４】
ところで、前記の従来の装置においては、トロリ６へ電気を供給するケーブル８が必然的に長くなってしまうため、その取扱い作業が煩雑となってしまい、作業性が悪いものであるのに加え、ケーブル８で屋上等にある前記配電盤とトロリ６の駆動モータ７を繋いでいるため、ハンガ９とハンガ９の間隔が狭くなり、その間のケーブル８が図２のように下方に大きく撓んでしまうことがある。そうすると風が強いと撓んだケーブルで建物の壁面を大きく叩くことがあり、付近に騒音となって伝わり迷惑をかけるとともに、もし壁面にガラス窓があるとそのガラスを破損させることにもなるという問題があった。
【０００５】
また、ハンガ９が走行レール５のつなぎ箇所に位置して、その走行が停止してしまった際に、風を受けて揺れる給電用ケーブル８が建物の突起部等に引っ掛かり断線するというトラブル発生の問題もあった。
【考案の概要】
【考案が解決しようとする課題】
【０００６】
そこでこの考案は、前記従来の問題を解消し、給電用ケーブルによる壁面の殴打をなくして、騒音や建物側の破損と給電ケーブルの破断をなくすことができるとともに、ゴンドラの昇降と水平移動をきわめて円滑に行うことができる作業用ゴンドラの昇降・水平移動装置を提供することを目的とする。
【課題を解決するための手段】
【０００７】
前記課題を解決するために、請求項１に記載の考案は、建物の外壁工事に用いる作業用ゴンドラが建物の上部に水平移動可能に設けたトロリから垂下された吊下げ用ワイヤにより昇降可能に吊り下げられている装置であって、前記作業用ゴンドラに昇降用の第１の駆動部材、及び該駆動部材に給電するためのバッテリが設置され、前記トロリに水平移動用の第２の駆動部材が設置され、この第２駆動部材へ前記バッテリから給電する給電用ケーブルが設けられていることを特徴とする。
【０００８】
請求項２に記載の考案は、請求項１において、前記トロリは、第２の駆動部材が設置された電動トロリと、従動トロリと、ライフライントロリとからなっており、各トロリが着脱可能に取り付けられている。
【考案の効果】
【０００９】
この考案は、前記のようであって、請求項１に記載の考案によれば、建物の外壁工事に用いる作業用ゴンドラが建物の上部に水平移動可能に設けたトロリから垂下された吊下げ用ワイヤにより昇降可能に吊り下げられている装置であって、前記作業用ゴンドラに昇降用の第１の駆動部材、及び該駆動部材に給電するためのバッテリが設置され、前記トロリに水平移動用の第２の駆動部材が設置され、この第２駆動部材へ前記バッテリから給電する給電用ケーブルが設けられているので、ゴンドラを水平移動するトロリの駆動モータの電源を従来の屋上等の配電盤からではなく、ゴンドラに設置したバッテリから取ることが可能になる。そのため、従来用いていた長い給電用ケーブルが必要なくなる。しかも、従来風のあるときに起きていた建物の壁面を殴打して騒音となって近所迷惑になるようなことがなくなり、窓ガラスを破損させるという事故もなくなる。また、ゴンドラの昇降、水平移動ともゴンドラ側からの操作で行うことができるので、操作性がよい。また、円滑で、かつ安全な作業が期待できるため、作業能率も向上する。
【００１０】
請求項２に記載の考案によれば、前記トロリは、第２の駆動部材が設置された電動トロリと、従動トロリと、ライフライントロリとからなっており、各トロリが着脱可能に取り付けられているので、搬入・搬出時に分解して小型にして持ち運ぶことができ、輸送が便利となる。
【図面の簡単な説明】
【００１１】
【図１】この考案に係わる作業用ゴンドラの昇降・水平移動装置の一実施の形態を示す全体概略正面図である。
【図２】従来の装置を示す全体概略正面図である。
【考案を実施するための形態】
【００１２】
以下、この考案の一実施の形態について、図面を参照して説明する。
【００１３】
図１は、一実施の形態に係わる作業用ゴンドラの昇降・水平移動装置の概要を示す説明図である。この実施の形態において、従来の装置と同じ構成には同一符号を付してその説明を簡略にし、主として異なる構成につき、以下に説明することとする。
【００１４】
２１はバッテリで、作業用ゴンドラ１に設置され、該ゴンドラを昇降させる左右一対の駆動モータ２へ給電する。２２はインバータで、バッテリ２１とケーブル２３を介して、またホバー中継盤１１とケーブル２４を介して接続されている。２５はバッテリ２１からトロリ６側へ電気を供給するための給電用ケーブル（トロリ操作ケーブル）であり、ホバー中継盤１１と電動トロリ６の駆動モータ７を接続している。ケーブル２５はゴンドラ１の揚程を十分カバーする長さを有している。なお、バッテリ２１とインバータ２２の設置位置に関しては、ここではゴンドラ内側面に上下に設置しているが、ゴンドラ１の作業床の下方の空隙を利用してもよく、その設置位置は任意である。
【００１５】
インバータ２２はバッテリ２１からの直流を交流へ変換して出力する。ホバー中継盤１１はインバータ２２から出力されてきた交流をゴンドラ操作盤１２、電動トロリ６へそれぞれ出力する。ゴンドラ操作盤１２はホバー中継盤１１から出力されてきた交流を電源とし、図示しない制御回路を介して左右の駆動モータ２へ出力する。前記の制御回路は左右の駆動モータ２の上下、左右のバランスの自動調整、非常停止、上限リミット等の主な制御を行う。電動トロリ６はホバー中継盤１１から出力されてきた交流を電源とし、電動トロリ６内の駆動モータ（ギアモータ）７を駆動し、レール５の上を走行する。
【００１６】
ペンダントスイッチ１６はゴンドラ１の上下左右方向への動きを司るもので、上下の押しボタン、左右の押しボタンを有し、これら押しボタンを操作によりゴンドラ１の動きを操作できるようになっている。
【００１７】
ゴンドラ１の吊りワイヤ３は電動トロリ６と、これに追随して動く従動トロリ６ａから直接吊り下げられているため、電動トロリ６を操作することによってゴンドラ１を水平（図では左右）移動させることが可能になっている。
【００１８】
電動トロリ６は一方の吊りワイヤ３のほぼ真上に配置され、従動トロリ６ａは他方の吊りワイヤ３のほぼ真上に配置され、両吊りワイヤ３の中間位置のほぼ真上にライフライントロリ６ｂが配置されている。これら３つのトロリ６，６ａ，６ｂは着脱可能に取り付けられている。そのため、搬入・搬出時に分解して小型にして持ち運ぶことができ、輸送が便利となる。
【００１９】
前記のような構成からなるので、ゴンドラ１を例えば左方へ移動するにはペンダントスイッチ１６の左押しボタンをオンする。するとトロリ６，６ａ，６ｂが左方へ移動し、目的の位置にきたらオフにする。これによりトロリは停止し、吊りワイヤ３で同時に移動するゴンドラ１も所定位置に位置する。また、逆に右方へ移動するにはペンダントスイッチ１６の右押しボタンをオンする。するとトロリ６，６ａ，６ｂが右方へ移動し、目的の位置にきたらオフにする。これによりトロリは停止し、ゴンドラ１も所定位置に位置する。なお、この左右移動に際し、トロリ６，６ａ，６ｂが左方又は右方への移動限界の壁面の端部に達すると、それを図示しないリミットスイッチが検知し、その検知信号をゴンドラ操作盤１２の制御回路へ送り、そこから駆動モータ７へ停止信号を送り停止する。
【００２０】
一方、トロリ６，６ａ，６ｂが停止している状態でゴンドラ１を上昇させるにはペンダントスイッチ１６の上押しボタンをオンする。するとゴンドラ１が上方へ移動し、目的の位置にきたらオフにする。これによりゴンドラ１は停止し、所定位置に位置することになる。また、逆に下方へ移動するにはペンダントスイッチ１６の下押しボタンをオンする。するとゴンドラ１が下方へ移動し、目的の位置にきたらオフにする。これによりゴンドラ１は停止し、所定位置に位置することになる。この上下移動の限界に達したときもリミットスイッチが検知し、駆動モータ２を停止することは前記と同様である。
【００２１】
前記において、ペンダントスイッチ１６の左押しボタンと上押しボタンを同時にオンすると、ゴンドラ１は左斜め上方向へ移動し、右押しボタンと下押しボタンを同時にオンすると、ゴンドラ１は右斜め下方向へ移動する。また、ペンダントスイッチ１６の左押しボタンと下押しボタンを同時にオンすると、ゴンドラ１は左斜め下方向へ移動し、右押しボタンと上押しボタンを同時にオンすると、ゴンドラ１は右斜め上方向へ移動する。
【００２２】
前記のようであって、ゴンドラ１を水平移動するトロリ６の駆動モータ７の電源を従来の屋上にある配電盤からではなく、ゴンドラ１に設置したバッテリ２１から取るので、従来用いていた長い給電用ケーブル８が必要なくなる。そのため、そのケーブルの配線の準備作業等も必要なくなり、作業の効率化が図られ、作業性がよくなる。また、従来風のあるときに起きていた建物の壁面を殴打して騒音となって近所迷惑になるようなことがなくなり、窓ガラスを破損させるという事故もなくなる。
【００２３】
また、ゴンドラ１の昇降、水平移動ともゴンドラ１に設置したバッテリ２１からの電源を利用するため、操作も簡単で、ゴンドラ１に乗っている作業者のみで円滑に、かつ安全に行うことができる。
【００２４】
また、前記したように従来のような長い給電用ケーブル８の配設の必要がなくなるので、全体としてのゴンドラ１の建物への設置が迅速にできる。また、建物によっては屋上に配電盤が設置されていないこともあり、そのようなビルに対しては特に利便性が高い。
【００２５】
なお、前記実施例で示したトロリ６，６ａ，６ｂの構成は、一例を示したもので、図示しものに限るものではない。必要により異なる設計にしてもよいことは言うまでもない。また、構成各部の構造も、あくまでも一例であり、同効のものであればそれを採用してもよいことは勿論である。
【符号の説明】
【００２６】
１  作業用ゴンドラ
２  駆動モータ（第１の駆動部材）
３  吊りワイヤ
５  走行レール
６  電動トロリ
６ａ  従動トロリ
６ｂ  ライフライントロリ
７  駆動モータ（第２の駆動部材）
１６  ペンダントスイッチ
２１  バッテリ
２２  インバータ
２５  給電用ケーブル
【図１】
0003228416.tif 000003
【図２】
0003228416.tif 000004